(57)【要約】【課題】回転刃の刃こぼれを防止するようにした回転刃を提供する。【解決手段】回転刃本体部２ａの外周に設けられる刃２ｂ・・・の一部に刃２ｂ・・・の外方に突出するように凸部２ｄ１、２ｄ２、・・・を設けられており、且つ、複数個の凸部２ｄ１、２ｄ２、・・・の相隣接する凸部２ｄ１、２ｄ２の一方２ｄ１が、回転刃本体部２ａの表面に対し、縦方向に一方向に凸状に湾曲し、複数個の凸部２ｄ１、２ｄ２、・・・の相隣接する凸部２ｄ１、２ｄ２の他方２ｄ２が、回転刃本体部２ａの表面に対し、縦方向に他方向に凸状に湾曲している。【選択図】図１
2006246805.tif 000002
【特許請求の範囲】
【請求項１】
回転刃本体部と、
前記回転刃本体部の外周に設けられる刃と、
前記回転刃本体部の外周に設けられる刃の一部に前記刃の外方に突出するように複数個の凸部が設けられており、且つ、
前記複数個の凸部の相隣接する凸部の一方が、前記回転刃本体部の表面に対し、縦方向に一方向に凸状に湾曲し、前記複数個の凸部の相隣接する凸部の他方が、前記回転刃本体部の表面に対し、縦方向に他方向に凸状に湾曲している、回転刃。
【請求項２】
請求項１に記載の回転刃を備える、刈払機。
【発明の詳細な説明】
【技術分野】
【０００１】
本発明は、回転刃の刃こぼれを防止するようにした回転刃、及び、回転刃の刃こぼれを防止するようにした回転刃を備える刈払機に関する。
【背景技術】
【０００２】
雑草等の草刈には、例えば、刈払機が使用されている。
【０００３】
図５は、そのような刈払機の一例を模式的に示す斜視図である。
【０００４】
従来の刈払機１０１は、回転刃１０２と、回転刃取付具１０３ａを有するシャフト１０３と、シャフト１０３の途中に設けられたハンドル１０４と、エンジン等の回転刃を回転させるための駆動源１０５とを備える。
【０００５】
尚、図５中、１０６で示す部材は、駆動源１０５の駆動・停止を行うスイッチを示している。
【０００６】
刈払機１０１を用いて雑草等を刈る際には、まず、回転刃取付具１０３ａに回転刃１０２を取り付ける。
【０００７】
その後、作業者は、ハンドル１０４を持ち、スイッチ１０６をオンにして、駆動源１０５を駆動させ、回転刃取付具１０３ａに取り付けた回転刃１０２を回転させ、雑草を刈る。
【０００８】
雑草の刈り取り作業が終了すれば、作業者は、スイッチ１０６をオフにする。
【非特許文献１】マキタ総合カタログ  ２００２−１、カタログＮｏ．Ｚ１１５５Ａ１、第１２４頁  ＭＥＭ２０１
【発明の開示】
【発明が解決しようとする課題】
【０００９】
しかしながら、従来の刈払機１０１の回転刃１０２は、図６（ａ）に示すように、回転刃本体部１０２ａの外周に複数の刃１０２ｂ・・・が設けられ、刃１０２ｂ・・・の各々には、切削用のチップ１０２ｃ・・・が設けられた構造になっている。
【００１０】
このため、図６（ｂ）に示すように、例えば、雑草等の草刈作業中に、回転刃１０２が石Ｓｔ等にあたると、刃こぼれ（チップ１０２ｃの欠損）を生じることがあった。
【００１１】
尚、図６（ａ）中、ｈ１は、回転刃取付具１０３ａに回転刃１０２を回転可能に取り付ける際に用いる固定穴を示しており、ｈ２、ｈ２は、回転刃１０２の軽量化のための軽量化用切抜き部を示している。
【００１２】
本発明は、以上のような問題を解決するためになされたものであって、回転刃の刃こぼれを防止するようにした回転刃、及び、そのような回転刃を備える刈払機を提供することを目的とする。
【課題を解決するための手段】
【００１３】
請求項１に記載の回転刃は、回転刃本体部と、回転刃本体部の外周に設けられる刃と、回転刃本体部の外周に設けられる刃の一部に刃の外方に突出するように複数個の凸部が設けられており、且つ、複数個の凸部の相隣接する凸部の一方が、回転刃本体部の表面に対し、縦方向に一方向に凸状に湾曲し、複数個の凸部の相隣接する凸部の他方が、回転刃本体部の表面に対し、縦方向に他方向に凸状に湾曲している。
【００１４】
請求項２に記載の刈払機は、請求項１に記載の回転刃を備える。
【発明の効果】
【００１５】
請求項１に記載の回転刃は、回転刃本体部の外周に設けられる刃の一部に刃の外方に突出するように複数個の凸部を備えるので、回転刃の使用中に、回転刃が、硬いものにあたっても、凸部が硬いものにあたり、刃を保護するので、回転刃の刃こぼれが生じない。
【００１６】
のみならず、この回転刃では、複数個の凸部の、相隣接する凸部の一方を、回転刃本体部の表面に対し、縦方向に一方向に凸状に湾曲させ、複数個の凸部の、相隣接する凸部の他方を、回転刃本体部の表面に対し、縦方向に他方向に凸状に湾曲させているので、回転刃の使用中に、石その他の硬いものが、回転刃本体の両面のいずれかに接近しても、回転刃本体部の表面に対し、縦方向に一方向に凸状に湾曲するように設けられている凸部、又は、回転刃本体部の表面に対し、縦方向に他方向に凸状に湾曲するように設けられている凸部に、石その他の硬いものが当たる結果、回転刃の使用中に、回転刃本体に設けられているチップに、石その他の硬いものが当たるのを防ぐことができる。
【００１７】
この結果、この回転刃は、使用の耐久性に優れている。
【００１８】
請求項２に記載の刈払機は、請求項１に記載の回転刃を備えるので、回転刃の刃こぼれが生じ難い。この結果、この刈払機は、使用の耐久性に優れている。
【発明を実施するための最良の形態】
【００１９】
以下、本発明に係る回転刃及び刈払機について、図面を参照しながら更に詳しく説明する。
【００２０】
図１は、本発明に係る回転刃の一例を概略的に示す平面図であり、また、図２は、図１に示す回転刃の一つの効果を模式的に説明する説明図である。
【００２１】
この回転刃２は、図１に示すように、回転刃本体部２ａと、回転刃本体部２ａの外周に複数の刃２ｂ・・・が設けられ、刃２ｂ・・・の各々には、切削用のチップ２ｃ・・・が設けられた構造になっている。
【００２２】
尚、図１中、ｈ１は、回転刃取付具（図５に示す回転取付具１０３ａ）に回転刃２を回転可能に取り付ける際に用いる固定穴を示しており、ｈ２、ｈ２は、回転刃２の軽量化のための軽量化用切抜き部を示している。
【００２３】
この回転刃２の以上の構成は、図６（ａ）に示す従来の回転刃１０２と同様であるが、この回転刃２は、以下の構成を更に備える点で、従来の回転刃１０２と異なっている。
【００２４】
即ち、この回転刃２は、回転刃本体部２ａの外周に設けられる刃２ｂ・・・の一部に刃２ｂ・・・の外方に突出するように複数個の凸部２ｄ１、２ｄ２、・・・が設けられている点で、従来の回転刃１０２と異なっている。
【００２５】
尚、この例では、凸部２ｄ１、２ｄ２、・・・を、４個設けている例を示しているが、これは、単に例示であって、凸部２ｄ１、２ｄ２、・・・の数は、４個に限定されることはない。
【００２６】
また、凸部２ｄ１、２ｄ２、・・・を複数個設ける場合にあっては、凸部２ｄ１、２ｄ２、・・・は、回転刃本体部２ａの外周に均等間隔を隔てるように設けるのが好ましく、且つ、複数個の凸部２ｄ１、２ｄ２、・・・の数は、回転刃を回転させた場合のバランスを考慮すると、偶数数個にすることが好ましく、その場合、複数個の凸部２ｄ１、２ｄ２、・・・の大きさは、同じ大きさ又は概ね同じ大きさにすることが、好ましい。
【００２７】
また、凸部２ｄ１、２ｄ２、・・・の各々の先端は、刃２ｂ・・・の各々の先端に対し、例えば、０．２ｍｍ以上５ｍｍ以下の範囲内で、刃２ｂ・・・の各々の外方に突出するように設けるのが好ましい。
【００２８】
尚、凸部２ｄ１、２ｄ２、・・・の各々の先端は、刃２ｂ・・・の各々の先端に対し、例えば、０．２ｍｍ以上０．７５ｍｍ以下の範囲内で、刃２ｂ・・・の各々の外方に突出するように設けるのが好ましい。
【００２９】
これは、凸部２ｄ１、２ｄ２、・・・の各々の先端を、刃２ｂ・・・の各々の先端に対し、例えば、５ｍｍを超える範囲で、刃２ｂ・・・の各々の外方に突出するように設けると、回転刃２の草を刈る機能が劣るので好ましくなく、例えば、０．２ｍｍを未満の範囲で、刃２ｂ・・・の各々の外方に突出するように設けると、石等に回転刃２が当たった場合、刃こぼれ（チップ２ｃの欠損）を生じ易くなったり、回転刃２の使用により、凸部２ｄ・・・のちびにより、凸部２ｄ１、２ｄ２、・・・の、刃２ｂ・・・（チップ２ｃ・・・）の保護機能が失われ易いためである。
【００３０】
本発明者は、凸部２ｄ１、２ｄ２、・・・の各々の先端を、刃２ｂ・・・の各々の先端に対し、種々の突出量にした回転刃を作製し、これを草刈機に取り付けて、実際に、草を刈るという実験をした。その結果、０．７５ｍｍ以下の範囲で、突出させた場合草を刈る機能が劣ることがなく、また、磨耗等によって、０．２ｍｍになっても、凸部２ｄ１、２ｄ２、・・・の、刃２ｂ・・・（チップ２ｃ・・・）の保護機能が失われない、ということが判った。
【００３１】
また、図３は、図１中、凸部２ｄ１の形状を説明する説明図であって、図３（ａ）は、凸部２ｄ１及びその近傍部分を概略的に示す平面図であり、図３（ｂ）は、図３（ａ）に示す部分の概略的な側面図であり、また、図３（ｃ）は、図３（ａ）に示す部分の概略的な斜視図である。
【００３２】
また、図４は、図１中、凸部２ｄ２の形状を説明する説明図であって、図４（ａ）は、凸部２ｄ２及びその近傍部分を概略的に示す平面図であり、図４（ｂ）は、図４（ａ）に示す部分の概略的な側面図であり、また、図４（ｃ）は、図４（ａ）に示す部分の概略的な斜視図である。
【００３３】
この回転刃２では、図３及び図４に示すように、複数個の凸部２ｄ１、２ｄ２、・・・は、相隣接する凸部２ｄ１、２ｄ２の一方２ｄ１が、回転刃本体部２ａの表面に対し、縦方向に一方向（この例では、下方向）に凸状に湾曲し、複数個の凸部２ｄ１、２ｄ２、・・・の相隣接する凸部２ｄ１、２ｄ２の他方２ｄ２が、回転刃本体部２ａの表面に対し、縦方向に、凸部２ｄ１とは、逆方向の他方向（この例では、上方向）に凸状に湾曲するように設けられている。
【００３４】
次に、この回転刃の使用方法について、例示的に、説明する。
【００３５】
刈払機を用いて雑草等を刈る際には、まず、例えば、図５に示す刈払機１０１を用いる場合を例にして説明すると、回転刃取付具１０３ａに回転刃２を取り付ける。
【００３６】
その後、作業者は、ハンドル１０４を持ち、スイッチ１０６をオンにして、駆動源１０５を駆動させ、回転刃取付具１０３ａに取り付けた回転刃２を回転させ、雑草を刈る。
【００３７】
雑草の刈り取り作業が終了すれば、作業者は、スイッチ１０６をオフにする。
【００３８】
回転刃２を使用した場合、この回転刃２は、図２に示すように、回転刃本体２ａの外周に複数の刃２ｂ・・・が設けられ、刃２ｂ・・・の各々には、切削用のチップ２ｃ・・・が設けられ、且つ、刃２ｂ・・・の一部に凸部２ｄ１、２ｄ２、・・・が設けられた構造になっている。
【００３９】
このため、図２に示すように、例えば、雑草等の草刈作業中に、回転刃２が石Ｓｔ等にあたった場合であっても、石Ｓｔ等には、凸部２ｄ１、２ｄ２、・・・が当たり、刃２ｂ・・・（チップ２ｃ・・・）の各々が石Ｓｔ等に当たることが防止されるので、回転刃２の刃こぼれ（チップ２ｃの欠損）が生じることが防止される。
【００４０】
一方、雑草等は、凸部２ｄ１、２ｄ２、・・・の存在にかかわらず、これらは、靭性があるので、刃２ｂ・・・（チップ２ｃ・・・）の各々によって切られることになる。
【００４１】
以上の説明により、明らかなように、この回転刃２は、回転刃本体部２ａの外周に設けられる刃２ｂ・・・の一部に刃２ｂ・・・の外方に突出するように凸部２ｄ１、２ｄ２、・・・を備えるので、回転刃２の使用中に、回転刃２が、硬いものにあたっても、凸部２ｄ・・・が硬いものにあたり、刃２ａを保護するので、回転刃２の刃こぼれ（チップ２ｃの欠損）が生じない。
【００４２】
のみならず、この回転刃２では、図３及び図４からも明らかなように、複数個の凸部２ｄ１、２ｄ２、・・・の、相隣接する凸部２ｄ１、２ｄ２の一方２ｄ１を、回転刃本体部２ａの表面に対し、縦方向に一方向（この例では、下方向）に凸状に湾曲させ、複数個の凸部２ｄ１、２ｄ２、・・・の、相隣接する凸部２ｄ１、２ｄ２の他方２ｄ２を、回転刃本体部２ａの表面に対し、縦方向に他方向（この例では、上方向）に凸状に湾曲させているので、回転刃２の使用中に、石その他の硬いものが、回転刃本体２ａの両面のいずれかに接近しても、回転刃本体部２ａの表面に対し、縦方向に一方向（この例では、下方向）に凸状に湾曲するように設けられている凸部２ｄ１、又は、回転刃本体部２ａの表面に対し、縦方向に他方向（この例では、上方向）に凸状に湾曲するように設けられている凸部２ｄ２に、石その他の硬いものが当たる結果、回転刃２の使用中に、回転刃本体２ａに設けられているチップに、石その他の硬いものが当たるのを防ぐことができる。
【００４３】
この結果、この回転刃は、使用の耐久性に優れている。
【００４４】
また、この回転刃２は、複数個の凸部２ｄ１、２ｄ２、・・・の、相隣接する凸部２ｄ１、２ｄ２の一方２ｄ１を、回転刃本体部２ａの表面に対し、縦方向に一方向（この例では、上方向）に凸状に湾曲させ、複数個の凸部２ｄ１、２ｄ２、・・・の、相隣接する凸部２ｄ１、２ｄ２の他方２ｄ２を、回転刃本体部２ａの表面に対し、縦方向に他方向（この例では、下方向）に凸状に湾曲させているので、まず、平板形状の複数個の凸部を有する回転刃を形成した後、一つ置きに、プレス加工により、縦方向に一方向に凸状に湾曲させ、その後、回転刃を表裏面を逆にして、一つ置きに存在する、複数個の平板形状の凸部を、プレス加工により、縦方向に他方向に凸状に湾曲させるという工程により、簡単に製造できる、という効果もある。
【００４５】
尚、本発明にかかる回転刃は、例えば、車輌の底面に回転可能に取り付け、そのような車輌を芝刈り機等として使用するようにしてもよい。
【産業上の利用可能性】
【００４６】
本発明に係る回転刃は、刃こぼれが防止されるので、回転刃の使用耐久性が向上する。
【００４７】
また、本発明に係る刈払機は、本発明に係る回転刃を備えるので、使用に際し、回転刃の刃こぼれが生じ難い。この結果、この刈払機は、使用の耐久性に優れている。
【００４８】
即ち、本発明に係る回転刃及び刈払機は、雑草等の草刈りに好適に用いることができる。
【図面の簡単な説明】
【００４９】
【図１】本発明に係る回転刃の一例を概略的に示す平面図である。
【図２】図１に示す回転刃の効果を模式的に説明する説明図である。
【図３】本発明に係る回転刃に設けられている複数個の凸部の中、一方の凸部の形状を説明する説明図であって、図３（ａ）は、一方の凸部及びその近傍部分を概略的に示す平面図であり、図３（ｂ）は、図３（ａ）に示す部分の概略的な側面図であり、また、図３（ｃ）は、図３（ａ）に示す部分の概略的な斜視図である。
【図４】本発明に係る回転刃に設けられている複数個の凸部の中、他方の凸部の形状を説明する説明図であって、図４（ａ）は、他方の凸部及びその近傍部分を概略的に示す平面図であり、図４（ｂ）は、図４（ａ）に示す部分の概略的な側面図であり、また、図４（ｃ）は、図４（ａ）に示す部分の概略的な斜視図である。
【図５】従来の刈払機の一例を模式的に示す斜視図である。
【図６】従来の回転刃の一例を示す図であり、図６（ａ）は、その回転刃の概略的な平面図であり、図６（ｂ）は、図６（ａ）に示す回転刃の問題を模式的に示す図である。
【符号の説明】
【００５０】
２  回転刃
２ａ  回転刃本体
２ｂ  刃
２ｃ  チップ
２ｄ１  回転刃本体部の表面に対し、縦方向に一方向に凸状に湾曲させるように設けられた凸部
２ｄ２  回転刃本体部の表面に対し、縦方向に他方向に凸状に湾曲させるように設けられた凸部
【図１】
2006246805.tif 000003
【図２】
2006246805.tif 000004
【図３】
2006246805.tif 000005
【図４】
2006246805.tif 000006
【図５】
2006246805.tif 000007
【図６】
2006246805.tif 000008